(57)【特許請求の範囲】
【請求項１】
側壁が対向する前板と後板、左右側板からなる四角柱状胴部の天部をそれぞれの側壁に連接されたフラップを折り返し、シールしてなるカートンであって、前記前板とそれに連接する天部フラップを残して前記胴部を水平に分割して上部を取り除き、トレー状に変形させる分割手段と、該トレー前面に前記前板の位置よりも前方に傾斜して固定されるディスプレーパネルを形成する組立手段とが一体的に組み込まれ、前記組立手段が、前記前板の下段に設けられた折り線によって前記前板を外側に折り返し、前記前板の中段に設けられた折り線によって前板上段を内側に折り返し、さらに前記天部フラップを内側に折り返し、該天部フラップの先端の差し込み片を前記トレイ前面の前記前板の内側に沿って差し込み、前記差し込み片に設けられた打ち抜き孔と前記前板の最下端に設けられた突起片との係止によることを特徴とするディスプレー機能付きカートン。
【請求項２】
前記分割手段が、少なくとも前記前板以外の前記側壁中段に水平に設けられたジッパーと、前記前板上段の両側辺に設けられた弱め線とにおける切断によることを特徴とする請求項１記載のディスプレー機能付きカートン。
【発明の詳細な説明】
【０００１】
【発明の属する技術分野】
本発明は、店頭におけるＰＯＰディスプレー機能を持たせたカートンに関する。
【０００２】
【従来の技術】
一般に、内装された複数の商品を外装する外箱カートンは、スーパー、コンビニエンスストア等の店頭まで商品の運送に使用され、内装された商品が取り出されて、棚に並べられた後は捨てられている。
陳列された商品をさらに消費者に訴求させるため、特に新製品のキャンペーン期間中は、ＰＯＰ（販売時点）ディスプレーが、メーカー側で用意されて、当該商品に隣接して棚の上に置かれるか、棚から吊り下げられるかして、使用される場合が多い。また、それらのディスプレーは、別体として外箱内に封入されている場合が多い。
【０００３】
【発明が解決しようとする課題】
ＰＯＰディスプレーをメーカー側が希望するように当該商品に隣接して設置することは、例え新製品のキャンペーン期間だけであっても、多くの商品がひしめきあっている限られた商品スペースの中にあっては難しく、また人手等の店側の都合によって実施が徹底しないという問題がある。
また、陳列棚の限られた商品スペースでは、ディスプレーの効果が期待出来ないという問題もある。
さらに、ＰＯＰディスプレーを別途用意するのは材料費がかかり、広告宣伝コストの上昇に繋がるという問題がある。
本発明はかかる問題点を鑑みてなされたもので、店頭において、外箱カートンをトレイ状に変形し、商品をトレーごと陳列することにより、カートンに一体となって組み込まれたＰＯＰディスプレーを省スペース的に、容易に、組立ることができ、低コストでありながらディスプレー効果の高いディスプレー機能付き外箱カートンの提供を目的とする。
【０００４】
【課題を解決するための手段】
前記課題を解決するためになされた本発明は、側壁が対向する前板と後板、左右側板からなる四角柱状胴部の天部をそれぞれの側壁に連接されたフラップを折り返し、シールしてなるカートンであって、前記前板とそれに連接する天部フラップを残して前記胴部を水平に分割して上部を取り除き、トレー状に変形させる分割手段と、該トレー前面に前記前板の位置よりも前方に傾斜して固定されるディスプレーパネルを形成する組立手段とが一体的に組み込まれたことを特徴とするディスプレー機能付きカートンであって、前記分割手段を、少なくとも前記前板以外の前記側壁中段に水平に設けられたジッパーと、前記前板上段の両側辺に設けられた弱め線とを切断するとによって構成し、また、前記組立手段を、前記前板の下段に設けられた折り線によって前記前板を外側に折り返し、前記前板の中段に設けられた折り線によって前板上段を内側に折り返し、さらに前記天部フラップを内側に折り返し、該天部フラップの先端の差し込み片を前記トレイ前面の前記前板の内側に沿って差し込み、前記差し込み片に設けられた打ち抜き孔と前記前板の最下端に設けられた突起片とを係止させることをによって構成する。
【０００５】
【発明の実施の形態】
図１は、本発明によるディスプレー機能付きカートンのカートンブランク展開図である。
本発明によるディスプレー機能付きカートンのカートンブランク１０は、側板１、前板２、側板３、後板４、糊代５の順に折り線を介して連接してなる胴部の側壁の上辺に天部フラップＴ１〜Ｔ４を、また下辺に底部フラップＢ１〜Ｂ４を折り線を介して連接したものである。
連接された前板２を除く側壁１、３、４の中段にはジッパーＪ２が設けられ、天部フラップＴ３にも、切断可能なジッパーＪ１が設けられている。このジッパーＪ２は、胴部を上下に分割するためのものであり、ジッパーＪ１は、天部を開封するためのものである。
また、前板は折り線ｂと折り線ｃプラス切れ目線ｅによって３分割され、前板２は、上から前板上段２−１、前板中段２−２、前板下段２−３によって構成されている。この折り線ｂ，ｃ、は前板２を内側と外側に抵抗なく折り曲げ易くするようにリード罫の使用が好ましい。
さらに、前板上段２−１の両側辺には弱め線ｄが設けられている。従って前板２が広幅のジッパーとなって機能し、前板２の上端を持って両側片同時に引き裂くことができる。
前板２の上辺には折り線ａを介して天部フラップＴ２が連接され、その先端には差し込み片６が延設され、またその中央には打ち抜き孔７が穿設されている。一方、前板２の下辺には、切り込み８によって底部フラップＢ２が折り曲げられると突起片９が形成されるようになっている。
【０００６】
図２は、本発明によるディスプレー機能付きカートンの成形完了図である。
本発明によるディスプレー機能付きカートン２０の成形は、次のようにして行われる。
カートンブランク１０を、サック貼り機で胴貼りし、折り畳みブランクとし、これを起こして角柱状の胴部を形成し、底部フラップＢ１〜Ｂ４を折り返して接着し、底部を成形した後、商品を開放天部より詰め込み、天部の天部フラップＴ２，Ｔ４を折り返し、ついで外フラップＴ１，Ｔ３を折り返して外フラップＴ１，Ｔ３同志を接着させる。
図２に示すように、前板の上段部２−１はディスプレーパネルになる部分であって前もって訴求効果のある新商品の告知内容が印刷されている。
【０００７】
図３は、本発明によるディスプレー機能付きカートンの分割手段の説明図である。
店頭において、本発明によるディスプレー機能付きカートン２０を分割するには、先ず、天部のジッパーＪ１と胴壁ジッパーＪ２を図２で示す矢印方向に引き裂き、最後に、前板２を前板上段２−１の両側辺の弱め線ｄに従って引き裂けば、図３に示すように、前板２とそれに連接した天部フラップＴ２を残して、それ以外の部分が取り去ることができ、カートンは分割され、トレー状に変形する。そして中身の商品Ｃは、点線で示すように、箱詰めされた状態のまま現れる。
天部の開封は必ずしもジッパーＪ１に頼る必要はなく、例えばホットメルト接着剤を用いて対向する天部フラップＴ１，Ｔ２同志を点接着しておき、この部分を開封時に剥がすようにしてもよい。
【０００８】
次に、ディスプレーの組立手段について説明する。
図４、図５は、本発明によるディスプレー機能付きカートンのディスプレー組立手段の説明図である。図４は、分割され、トレー状に組立られた本発明によるディスプレー機能付きカートン（以下トレイという）２０’の斜視図であり、図５は、中央縦断面図である。
図３に示すように、トレイ２０’前面に残された前板２を折り線ｃで外側に折り曲げ、折り線ｂで今度は内側に折り曲げ、さらに折り線ａで天部フラップＴ２を内側に折り曲げ、その先端の差し込み片６をトレイ２０’の前面パネル即ち前板の下段２−３の内側に沿って底部に到達するまで差し込むと、差し込み片６に設けられている打ち抜き孔７と前板の下段２−３の最下辺に沿って形成されている突起片９とがロックして係止し、前板上段２−１のディスプレーパネルは前面に突き出し、前傾した状態で固定されて組立が完了する。
前板２を構成する前板上段２−１、中段２−２、下段２−３及び天部フラップＴ２の組立後の位置関係は、図５によって明らかになる。
このような形状に組立られたトレイ２０’を商品ごと陳列棚Ｌの上に乗せると、ディスプレーパネル２−１は、陳列棚の前面よりも前に突き出し、前傾した状態で固定されるので、狭い陳列スペースを効率よく使用することになる。また、この位置でのディスプレーパネル２−１は、商品と同時に視野に入り、目線よりも低い陳列棚Ｌで効果を発揮する。
さらに、このディスプレーパネル２−１には印刷済のＰＯＰ広告用ばかりでなく、図４で示すように、店側で用意されるプライスカードＰを貼着させるスペースとしても有効に利用することができる。
【０００９】
本発明によるディスプレー機能付きカートン２０によって包装され、またトレイ２０’となって陳列される商品の形態は多様であるが、中でも偏平なオーバーラップ商品、あるいは偏平な箱や袋に充填された商品が好ましく、これらが前後に並べられた状態で陳列され、手前から順に取り出される場合が好ましい。
【００１０】
本発明によるディスプレー機能付きカートン２０には極めて広範囲の板紙が使用でき、コートボール、クラフトボール、マニラボール等が好適に使用できる。その坪量は、詰め込む商品の量にもよるが、２００〜４００ｇ／ｍ2 の範囲の板紙が好適に使用できる。
ディスプレーパネル２−１面は板紙の表面であり、また、組立段階で板紙の裏面が現れることがないため、裏面に古紙パルプを漉き合わせたものでも十分使用可能である。
カートンへの印刷、特にディスプレーパネル面への印刷は重要であって、訴求効果のある文字、図柄が美しく印刷されなければならない。
この印刷は、オフセット印刷、グラビア印刷、フレキソ印刷、シルクスクリーン印刷等いかなる方法を用いてもよい。さらに、印刷面に対して艶出し、箔押し、エンボス等の後加工も自由に行うことができる。
【００１１】
本発明によるディスプレー機能付きカートン２０は、実施例の記載に限定されることなく、本発明の要旨を逸脱しない範囲内で種々の変形が可能である。例えば、底部は、シールエンド方式でなく、胴部を起こせば自動的に形成される「オートボトム」方式を採用してもよい。
またジッパーＪ１，Ｊ２、弱め線ｄの形状も自由であり、Ｌ字形に限らず、Ｙ字形、Ｓ形等であってもよい。
【００１２】
【発明の効果】
本発明によるディスプレー機能付きカートンには次のような効果を発揮することができる。
商品の店頭陳列時にカートンがトレイに変わってトレイごと陳列棚に乗せることができ、陳列の手間が省ける。
ディスプレーの組立は自動ロック方式により容易に行うことができる。
ディスプレーパネルがカートンの一部となって組み込まれているので、従来の別体の場合に較べてコスト削減が可能である。
組み立てられたディスプレーパネルは陳列棚よりも前面にあって狭い陳列空間を有効に利用してディスプレー効果を発揮することができる。
また、ディスプレーパネルは商品と同一視野に入る絶好の位置にあり商品の差別化、販売促進に貢献することができる。
さらに、プライスカードを貼り付けるスペースとしても好適に利用できる。
【図面の簡単な説明】
【図１】本発明によるディスプレー機能付きカートンのカートンブランク展開図
【図２】本発明によるディスプレー機能付きカートンの成形完了図
【図３】本発明によるディスプレー機能付きカートンの分割手段の説明図
【図４】本発明によるディスプレー機能付きカートンのディスプレー組立手段の説明図
【図５】本発明によるディスプレー機能付きカートンのディスプレー組立手段の説明図
【符号の説明】
１    側板
２    前板
２−１    前板上段、ディスプレーパネル
２−２    前板中段
２−３    前板下段
３    側板
４    後板
５    糊代
６    差し込み片
７    打ち抜き孔
８    切り込み
９    突起片
１０    カートンブランク
２０    本発明によるディスプレー機能付きカートン
２０’  トレイ
ａ〜ｃ    折り線
ｄ    弱め線
Ｃ    商品
Ｌ    陳列棚
Ｐ    プライスカード
Ｔ１〜Ｔ４    天部フラップ
Ｂ１〜Ｂ４    底部フラップ
Ｊ１，Ｊ２    ジッパー
【図１】
0003966942.tif 000002
【図２】
0003966942.tif 000003
【図３】
0003966942.tif 000004
【図４】
0003966942.tif 000005
【図５】
0003966942.tif 000006